(57)【要約】  撚り線と接続端子とを接続する際の取り回し性の向上とともに、信号伝送特性の低下を防止することができる接続端子として、第１ケーブルと接続される第１ケーブル接続部と、第１端子部と、第１ケーブル接続部と第１端子部との間に設けられる第１連結部と、第２ケーブルと接続される第２ケーブル接続部と、第２端子部と、第２ケーブル接続部と第２端子部との間に設けられる第２連結部と、第１連結部と第２連結部との間に設けられる絶縁部と、を備える接続端子であって、第１ケーブル接続部は、第１方向に第２ケーブル接続部と並置され、第１連結部は、少なくとも第１方向または第１方向と直交する第２方向にみて第２連結部と交差する接続端子が提供され、上記の接続端子２つを接続する端子接続構造も提供される。
2016132855.tif 000002
【特許請求の範囲】
【請求項１】
第１ケーブルと接続される第１ケーブル接続部と、
第１端子部と、
前記第１ケーブル接続部と前記第１端子部との間に設けられる第１連結部と、
第２ケーブルと接続される第２ケーブル接続部と、
第２端子部と、
前記第２ケーブル接続部と前記第２端子部との間に設けられる第２連結部と、
前記第１連結部と前記第２連結部との間に設けられる絶縁部と、
を備え、
前記第１ケーブル接続部は、第１方向に前記第２ケーブル接続部と並置され、
前記第１連結部は、少なくとも前記第１方向または前記第１方向と直交する第２方向にみて前記第２連結部と交差することを特徴とする接続端子。
【請求項２】
前記第１連結部は第１平面を有し、
前記第２連結部は第２平面を有し、
前記第１平面および前記第２平面は前記絶縁部を介して互いに対向する、請求項１記載の接続端子。
【請求項３】
前記第１平面は、前記第２方向にみて前記第１連結部の少なくとも前記第２連結部と交差する部分に設けられ、
前記第２平面は、前記第２方向にみて前記第２連結部の少なくとも前記第１連結部と交差する部分に設けられた、請求項２記載の接続端子。
【請求項４】
前記第１平面および前記第２平面の少なくとも一方は前記絶縁部と接する、請求項２または請求項３に記載の接続端子。
【請求項５】
前記第１平面および前記第２平面の少なくとも一方と前記絶縁部との間には隙間が設けられた、請求項２または請求項３に記載の接続端子。
【請求項６】
前記第１端子部は、前記第１方向に前記第２端子部と並置された、請求項１〜請求項５のいずれか１項に記載の接続端子。
【請求項７】
前記第１端子部と前記第２端子部との前記第１方向の並び順は、前記第１ケーブル接続部と前記第２ケーブル接続部との前記第１方向の並び順とは逆になっている、請求項６記載の接続端子。
【請求項８】
前記第１端子部と前記第２端子部との前記第１方向のギャップは、前記第１ケーブル接続部と前記第２ケーブル接続部との前記第１方向のギャップと異なる、請求項６または請求項７に記載の接続端子。
【請求項９】
前記第１ケーブル接続部、前記第１端子部および前記第１連結部は、第１導電部材として一体で形成され、
前記第２ケーブル接続部、前記第２端子部および前記第２連結部は、第２導電部材として一体に形成された、請求項１〜請求項８のいずれか１項に記載の接続端子。
【請求項１０】
前記第１導電部材の少なくとも前記第１連結部および前記第１端子部は、前記第２導電部材の少なくとも前記第２連結部および前記第２端子部と同じ形状で、表裏反転した状態で配置された、請求項９記載の接続端子。
【請求項１１】
前記第１連結部および前記第２連結部の少なくとも一方は、前記絶縁部と嵌合する爪を有する、請求項１〜請求項１０のいずれか１つに記載の接続端子。
【請求項１２】
前記絶縁部は、前記第１連結部および前記第２連結部の少なくとも一方に設けられた穴と嵌合する凸部を有する、請求項１〜請求項１１のいずれか１つに記載の接続端子。
【請求項１３】
請求項１〜請求項１１のいずれか１項に記載の接続端子の２つを接続する端子接続構造であって、
一方の前記接続端子に対して、他方の前記接続端子を前記第１方向の軸を中心に１８０度回転、または前記第２方向の軸を中心に１８０度回転して、前記一方の接続端子と前記他方の接続端子とを向かい合わせて接続した状態において、
前記一方の接続端子と前記他方の接続端子との間の２つの導電経路が前記第１方向にみて互いに交差する、ことを特徴とする端子接続構造。
【請求項１４】
前記一方の接続端子および前記他方の接続端子は、互いに同じ形状である、請求項１３に記載の端子接続構造。
【発明の詳細な説明】
【技術分野】
【０００１】
本発明は、ケーブルを接続するための接続端子および端子接続構造に関する。
【背景技術】
【０００２】
撚り線（ツイストペアケーブル）は、例えば２本のケーブルを所定のピッチで交互に入れ替えて撚り合わせたケーブルである。撚り線では、ケーブルで受けた磁束によって発生する電流を打ち消し合い、外部からのノイズによる影響を軽減することができる。また、それぞれのケーブルを流れる電流で発生する磁束の打ち消し合いによって、外部への漏れ磁界を抑制することもできる。このような撚り線の接続には、撚り線を構成する各ケーブルに接続端子を取り付けたコネクタが用いられる。【０００３】
撚り線の各ケーブルに接続端子を取り付けるには、ケーブルに対して一本ずつ端子をかしめた後に交互にハウジングに収納することから、撚り線の先端側の一部の撚りを解いておく必要がある。撚り線の一部において撚りのピッチの広くなる部分があると、そこでの磁束の打ち消し合いのバランスが崩れ、磁界漏れや耐ノイズ特性の低下に繋がる。【０００４】
特許文献１には、ツイスト線と接続されるコネクタが開示される。このコネクタにおいては、コネクタ連結状態で一方の端子接続体と、他方の端子接続体とが２次元的又は３次元的に立体交差するように配置される。これにより、コネクタの端子部分でのクロストーク低減効果が破れることを防止している。【０００５】
特許文献２には、一対の端子部が連結部の連結によって近接配置された構成が開示される。この構成では、２本の各電線の端末箇所を撚り解く等の作業を行うことなく一対の端子部に接続することができる。また、撚りの解かれる部分が少ないため、電線のノイズ除去性能の低下を防止することができる。
【先行技術文献】
【特許文献】
【０００６】
【特許文献１】特開２００４−４７２９６号公報
【特許文献２】特開２０１２−２８１１１号公報
【発明の開示】
【発明が解決しようとする課題】
【０００７】
しかしながら、接続端子内で２本の端子を交差させる場合、２本の端子を適正に保持しておかないと、伝送の特性低下を招くことになる。例えば、２本の端子を交差させる構成を実現する場合、端子間隔を正確に設定するとともに、相手端子を接続した状態でも２本の端子における伝送線路の位置関係にずれが生じないよう維持できるようにする必要がある。【０００８】
２本の端子の位置関係は、接続端子内で確実に端子を保持しておくことと、端子接続構造において振動などが加わっても両端子の接続状態がしっかりと維持されることが必要である。２本の端子の位置関係がずれると、磁界の漏れ、耐ノイズ特性の低下の原因となり、また、端子間容量の変化が発生するため、伝送特性の低下の原因となる。特に、伝送する信号の周波数が高くなるほどこれらの特性劣化は顕著に表れることになる。【０００９】
本発明は、撚り線と接続端子とを接続する際の取り回し性の向上とともに、耐ノイズ特性の低下および信号伝送特性の低下を防止することができる接続端子および端子接続構造を提供することを目的とする。
【課題を解決するための手段】
【００１０】
上記課題を解決するため、本発明の接続端子は、第１ケーブルと接続される第１ケーブル接続部と、第１端子部と、第１ケーブル接続部と第１端子部との間に設けられる第１連結部と、第２ケーブルと接続される第２ケーブル接続部と、第２端子部と、第２ケーブル接続部と第２端子部との間に設けられる第２連結部と、第１連結部と第２連結部との間に設けられる絶縁部と、を備える。この接続端子において、第１ケーブル接続部は、第１方向に第２ケーブル接続部と並置され、第１連結部は、少なくとも第１方向または第１方向と直交する第２方向にみて第２連結部と交差する。【００１１】
このような構成によれば、第１ケーブル接続部が第２ケーブル接続部と並置されるため、第１ケーブルと第２ケーブルとをまとめて接続しやすくなる。また、第１連結部と第２連結部との間に絶縁部が設けられることで、互いに交差する第１連結部と第２連結部との位置関係が正確に設定される。【００１２】
本発明の接続端子において、第１連結部は第１平面を有し、第２連結部は第２平面を有し、第１平面および第２平面は絶縁部を介して互いに対向していてもよい。このような構成によれば、第１平面および第２平面を互いに対向させることで第１連結部と第２連結部との間に形成される容量を正確に設定しやすくなる。【００１３】
本発明の接続端子において、第１平面は、第２方向にみて第１連結部の少なくとも第２連結部と交差する部分に設けられ、第２平面は、第２方向にみて第２連結部の少なくとも第１連結部と交差する部分に設けられていてもよい。このような構成によれば、第１連結部と第２連結部との間に平行平板型の容量を正確に設定しやすくなる。【００１４】
本発明の接続端子において、第１平面および第２平面の少なくとも一方は絶縁部と接していてもよい。このような構成によれば、絶縁部を介して第１連結部および第２連結部の少なくとも一方を正確に固定することができる。【００１５】
本発明の接続端子において、第１平面および第２平面の少なくとも一方と絶縁部との間には隙間が設けられていてもよい。このような構成によれば、隙間に設けられる空間の誘電率によって第１連結部と第２連結部との間の容量を調整することができる。【００１６】
本発明の接続端子において、第１端子部は、第１方向に第２端子部と並置されていてもよい。このような構成によれば、互いに並列に接続される第１ケーブルおよび第２ケーブルをその並びのまま接続することができる。【００１７】
本発明の接続端子において、第１端子部と第２端子部との第１方向の並び順は、第１ケーブル接続部と第２ケーブル接続部との第１方向の並び順とは逆になっていてもよい。このような構成によれば、接続端子内において第１ケーブルおよび第２ケーブルによる伝送線路に撚りを設けることができる。【００１８】
本発明の接続端子において、第１端子部と第２端子部との第１方向のギャップは、第１ケーブル接続部と第２ケーブル接続部との第１方向のギャップと異なっていてもよい。このような構成によれば、これらのギャップを調整することで第１端子部と第２端子部との間に発生する容量および第１ケーブル接続部と第２ケーブル接続部との間に発生する容量の関係の調整を行うことができる。【００１９】
本発明の接続端子において、第１ケーブル接続部、第１端子部および第１連結部は、第１導電部材として一体で形成され、第２ケーブル接続部、第２端子部および第２連結部は、第２導電部材として一体に形成されていてもよい。このような構成によれば、接続端子の製造が容易となる。【００２０】
本発明の接続端子において、前記第１導電部材の少なくとも前記第１連結部および前記第１端子部は、および前記第２導電部材の少なくとも前記第２連結部および前記第２端子部と同じ形状で、表裏反転した状態で配置されていてもよい。このような構成によれば、接続端子の製造が容易となる。【００２１】
本発明の接続端子において、第１連結部および第２連結部の少なくとも一方は、絶縁部と嵌合する爪を有していてもよい。また、本発明の接続端子において、絶縁部は、第１連結部および第２連結部の少なくとも一方に設けられた穴と嵌合する凸部を有していてもよい。このような構成によれば、第１連結部および第２連結部の少なくとも一方を絶縁部に確実に固定することができる。【００２２】
本発明の端子接続構造は、上記の接続端子の２つを接続する端子接続構造であって、一方の接続端子に対して、他方の接続端子を第１方向の軸を中心に１８０度回転、または第２方向の軸を中心に１８０度回転して、一方の接続端子と他方の接続端子とを向かい合わせて接続した状態において、一方の接続端子と他方の接続端子との間の２つの導電経路が第１方向にみて互いに交差する、ことを特徴とする。このような構成によれば、第１ケーブルおよび第２ケーブルによるペアケーブルを交差させた状態で確実に接続できる。また、第１ケーブルおよび第２ケーブルによるペアケーブルを接続した状態で捻りを加えることができる。【００２３】
本発明の端子接続構造において、一方の接続端子および他方の接続端子は、互いに同じ形状であってもよい。このような構成によれば、一つの形状の接続端子を用いて接続端子構造を実現することができ、製造が容易となる。
【発明の効果】
【００２４】
本発明によれば、撚り線と接続端子とを接続する際の取り回し性の向上とともに、信号の伝送特性の低下を防止することができる接続端子および端子接続構造を提供することが可能になる。
【図面の簡単な説明】
【００２５】
【図１】（ａ）〜（ｃ）は、第１実施形態に係る接続端子を例示する模式図である。
【図２】（ａ）〜（ｄ）は、接続端子の構成を例示する模式図である。
【図３】（ａ）〜（ｅ）は、第１連結部の形状の例を示す模式断面図である。
【図４】（ａ）〜（ｃ）は、接続端子の変形例（その１）を示す模式図である。
【図５】（ａ）〜（ｃ）は、接続端子の変形例（その２）を示す模式図である。
【図６】（ａ）〜（ｃ）は、第２実施形態に係る端子接続構造を例示する模式図である。
【図７】端子接続構造の変形例を示す模式図である。
【発明を実施するための最良の形態】
【００２６】
以下、本発明の実施形態を図面に基づいて説明する。なお、以下の説明では、同一の部材には同一の符号を付し、一度説明した部材については適宜その説明を省略する。【００２７】
（第１実施形態）
図１（ａ）〜（ｃ）は、第１実施形態に係る接続端子を例示する模式図である。図１（ａ）には接続端子１の斜視図が表され、図１（ｂ）には接続端子１の平面図が表され、図１（ｃ）には接続端子１の側面図が表される。なお、図１（ｃ）では、説明の便宜上、絶縁部３０が省略されている。【００２８】
図１（ａ）に表したように、本実施形態に係る接続端子１は、第１ケーブルＣ１および第２ケーブルＣ２と接続される端子である。第１ケーブルＣ１および第２ケーブルＣ２は、所定のピッチで交互に入れ替えて撚り合わされた撚り線を構成する。【００２９】
本実施形態に係る接続端子１は、第１部品１０、第２部品２０および絶縁部３０を備える。接続端子１は、必要に応じてハウジング５０に圧入される。本実施形態では、第１部品１０及び第２部品２０が絶縁部３０とともに同時にハウジング５０に圧入される。【００３０】
第１部品１０は、第１ケーブル接続部１１と、第１端子部１２と、第１連結部１３と、を備える。第１ケーブル接続部１１は、第１ケーブルＣ１と接続される。第１ケーブルＣ１は被覆された導線を有する。第１ケーブル接続部１１は、第１ケーブルＣ１の導線と、かしめやはんだ付け等によって接続される。第１ケーブル接続部１１は、絶縁部３０の端部から外方に延出している。第１ケーブル接続部１１は例えば筒型になっており、筒内に第１ケーブルＣ１の導線が挿入される。【００３１】
第１端子部１２は、絶縁部３０の第１ケーブル接続部１１とは反対側の端部から外方に延出している。第１端子部１２は、後述する端子接続構造において相手方の端子部と接続される部分である。【００３２】
第１連結部１３は、第１ケーブル接続部１１と第１端子部１２との間に設けられる。第１連結部１３は、第１ケーブル接続部１１と第１端子部１２とを連結する部分である。例えば、第１連結部１３は、絶縁部３０と接する部分を有し、絶縁部３０に対して確実に固定されている。【００３３】
第２部品２０は、第２ケーブル接続部２１と、第２端子部２２と、第２連結部２３と、を備える。第２ケーブル接続部２１は、第２ケーブルＣ２と接続される。第２ケーブルＣ２は被覆された導線を有する。第２ケーブル接続部２１は、第２ケーブルＣ２の導線と、かしめやはんだ付け等によって接続される。第２ケーブル接続部２１は、絶縁部３０の端部から外方に延出している。第２ケーブル接続部２１は例えば筒型になっており、筒内に第２ケーブルＣ２の導線が挿入される。【００３４】
第２端子部２２は、絶縁部３０の第２ケーブル接続部２１とは反対側の端部から外方に延出している。第２端子部２２は、後述する端子接続構造において相手方の端子部と接続される部分である。【００３５】
第２連結部２３は、第２ケーブル接続部２１と第２端子部２２との間に設けられる。第２連結部２３は、第２ケーブル接続部２１と第２端子部２２とを連結する部分である。例えば、第２連結部２３は、絶縁部３０と接する部分を有し、絶縁部３０に対して確実に固定されている。【００３６】
絶縁部３０は、第１連結部１３と第２連結部２３との間に設けられる。絶縁部３０は、例えば樹脂による成型部品である。絶縁部３０の形状は、概ね直方体である。【００３７】
この構成において、第１ケーブル接続部１１は、一方向に第２ケーブル接続部２１と並置される。本実施形態では、第１ケーブル接続部１１および第２ケーブル接続部２１の並ぶ方向をＸ１−Ｘ２方向（第１方向）とする。また、Ｘ１−Ｘ２方向と直交し第１端子部１２および第２端子部２２の延びる方向をＹ１−Ｙ２方向（第３方向）とする。また、Ｘ１−Ｘ２方向およびＹ１−Ｙ２方向と直交する方向をＺ１−Ｚ２方向（第２方向）とする。【００３８】
第１ケーブル接続部１１が第２ケーブル接続部２１と並置されるため、第１ケーブルＣ１と第２ケーブルＣ２とをまとめて接続しやすくなる。例えば、第１ケーブル接続部１１と第２ケーブル接続部２１とのＸ１−Ｘ２方向の間隔を撚り線における第１ケーブルＣ１と第２ケーブルＣ２とのＸ１−Ｘ２方向の間隔に近づけておくと、撚りをほとんど解くことなく２本のケーブルをまとめて接続することができる。したがって、撚り線に接続端子１を接続する際の取り回し性が向上し、作業性を高めることができる。【００３９】
さらに、この構成において、第１連結部１３は、第２方向にみて絶縁部３０の中央部分で第２連結部２３と交差する。図１に示す例では、第１連結部１３は、第１方向にみて絶縁部３０の中央部分で第２連結部２３と交差していない。【００４０】
図１（ｂ）および（ｃ）に表したように、第１連結部１３は絶縁部３０のＹ１−Ｙ２方向のＹ１側の端面３０ａのほぼ中央から上側に立ち上がり、絶縁部３０の上面３０ｂに沿ってＹ１−Ｙ２方向のＹ２側の端面３０ｃまで延びている。また、第２連結部２３は絶縁部３０の端面３０ａのほぼ中央から下側に立ち下がり、絶縁部３０の下面３０ｄに沿って端面３０ｃまで延びている。【００４１】
図１（ｂ）に表したように、Ｚ１−Ｚ２方向からみると第１連結部１３および第２連結部２３は絶縁部３０の中心付近で互いに交差するように配置される。また、図１（ｃ）に表したように、Ｘ１−Ｘ２方向からみると、第１連結部１３および第２連結部２３は絶縁部３０を間にして平行に延びるよう配置される。【００４２】
第１連結部１３は第１平面１３ａを有し、第２連結部２３は第２平面２３ａを有する。第１平面１３ａは絶縁部３０の上面３０ｂと接し、第２平面２３ａは絶縁部３０の下面３０ｄと接する。第１平面１３ａおよび第２平面２３ａが絶縁部３０と接するよう設けられていることで、互いに交差する第１連結部１３と第２連結部２３との位置関係が正確に設定される。【００４３】
また、第１平面１３ａおよび第２平面２３ａを互いに対向させることで第１連結部１３と第２連結部２３との間に形成される容量を正確に設定しやすくなる。すなわち、絶縁部３０を介して第１連結部１３と第２連結部２３とが向かい合って配置されると、第１連結部１３と第２連結部２３との間に所定の容量が発生する。第１連結部１３と第２連結部２３との位置関係が正確に設定されることで、容量の変動が防止される。【００４４】
第１平面１３ａおよび第２平面２３ａは、少なくとも第１連結部１３と第２連結部２３との交差する部分に設けられる。これにより、第１連結部１３と第２連結部２３との間に平行平板型の容量を正確に設定しやすくなる。【００４５】
ここで、第１連結部１３と第２連結部２３との間の容量は、第１連結部１３および第２連結部２３の幅（面積）、第１連結部１３と第２連結部２３との間隔、第１連結部１３と第２連結部２３との間の部材（例えば、絶縁部３０）の比誘電率などによって設定される。この容量を調整することで、接続端子１における特性インピーダンスと、第１ケーブルＣ１および第２ケーブルＣ２による撚り線の特性インピーダンスとの整合を図ることができ、電界漏れの抑制、耐ノイズ特性の向上、および伝送特性（特に、高周波特性）の向上を図ることができる。本実施形態では、第１平面１３ａおよび第２平面２３ａが設けられていることで、２つの平坦な面の位置関係によって容量の計算および設定が容易となる。【００４６】
本実施形態に係る接続端子１において、第１端子部１２は、Ｘ１−Ｘ２方向に第２端子部２２と並置されていてもよい。すなわち、第１端子部１２と第２端子部２２との並びの方向と、第１ケーブル接続部１１と第２ケーブル接続部２１との並びの方向とが一致していてもよい。これにより、互いに並列に接続される第１ケーブルＣ１および第２ケーブルＣ２をその並びのまま接続することができる。【００４７】
本実施形態では、第１端子部１２と第２端子部２２とのＸ１−Ｘ２方向の並び順が、第１ケーブル接続部１１と第２ケーブル接続部２１とのＸ１−Ｘ２方向の並び順と逆になっている。これにより、接続端子１内において第１ケーブルＣ１および第２ケーブルＣ２による伝送線路に撚りを設けることができる。【００４８】
図２（ａ）〜（ｄ）は、接続端子の構成を例示する模式図である。図２（ａ）には接続端子１の分解斜視図が表され、図２（ｂ）には接続端子１の平面図が表される。図２（ｃ）には図２（ｂ）に示すＢ−Ｂ線の模式断面図が表され、図２（ｄ）には図２（ｂ）に示すＣ−Ｃ線の模式断面図が表される。なお、図２（ｃ）および（ｄ）では、説明の便宜上、断面の形状を単純化して表している。
図２（ａ）に表したように、接続端子１は、例えば、第１部品１０、第２部品２０および絶縁部３０の３つの部品の組み合わせによって構成される。第１部品１０を構成する第１ケーブル接続部１１、第１端子部１２および第１連結部１３は金属加工（打ち抜きやプレスなど）によって一体で形成される。また、第２部品２０を構成する第２ケーブル接続部２１、第２端子部２２および第２連結部２３も金属加工によって一体で形成される。【００４９】
絶縁部３０には第１部品１０の第１連結部１３および第２部品２０の第２連結部２３を嵌め込むための溝３１が形成される。第１部品１０および第２部品２０の基本形状は互いに同じになっている。第２部品２０は、第１部品１０を表裏反転させた状態で絶縁部３０に取り付けられる。第１部品１０および第２部品２０の基本形状が同じであることで、第１部品１０および第２部品２０の部品設計および製造が容易となる。【００５０】
図２（ｂ）に表したように、第１連結部１３および第２連結部２３の少なくとも一方には爪１１１が設けられていてもよい。また、第１連結部１３および第２連結部２３の少なくとも一方には穴１１２が設けられ、絶縁部３０にはこの穴１１２に嵌合する凸部３０１が設けられていてもよい。【００５１】
爪１１１が設けられている場合、この爪１１１を絶縁部３０の凹部３１ａに嵌合させることで第１連結部１３および第２連結部２３を絶縁部３０に対して抜け落ちないようしっかり固定することができる。また、穴１１２が設けられている場合、この穴１１２に絶縁部３０に設けられた凸部３０１が嵌合する。これにより、第１連結部１３および第２連結部２３を絶縁部３０に対して抜け落ちないようしっかり固定することができる。【００５２】
第１連結部１３および第２連結部２３は絶縁部３０に嵌め込む（圧入させる）ようにしても、絶縁部３０の成型時に第１部品１０と第２部品２０とを一緒に成型する、いわゆるインサート成型によって構成してもよい。インサート成型では、絶縁部３０に第１部品１０および第２部品２０の一部（第１連結部１３や第２連結部２３）を部分的または全部埋設して一体化してもよい。【００５３】
また、爪１１１が設けられている場合は、爪１１１を絶縁部３０に埋設させ、絶縁部３０から第１部品１０および第２部品２０が抜け落ちないよう抜け止めとして機能させることができる。また、穴１１２が設けられている場合は、穴１１２に樹脂を入り込ませることで、絶縁部３０から第１部品１０および第２部品２０が抜け落ちないよう抜け止めとして機能させることができる。これらにより、第１部品１０および第２部品２０を絶縁部３０に確実に固定することができる。【００５４】
接続端子１において、第１端子部１２と第２端子部２２とのＸ１−Ｘ２方向のギャップＧ１は、第１ケーブル接続部１１と第２ケーブル接続部２１とのＸ１−Ｘ２方向のギャップＧ２と異なっていてもよい。第１端子部１２および第２端子部２２は、相手方との接続を確実にするため、ある程度の大きさが必要になる。このため、第１端子部１２および第２端子部２２のＺ１−Ｚ２方向にみた面積を第１ケーブル接続部１１および第２ケーブル接続部２１のＺ１−Ｚ２方向にみた面積よりも大きくした場合に、ギャップＧ１をギャップＧ２よりも広くすることで容量の調整（特性インピーダンスの整合）を行うことができる。【００５５】
また、図２（ｃ）および（ｄ）に表したように、第１端子部１２および第２端子部２２の高さを高さｈ１、第１ケーブル接続部１１および第２ケーブル接続部２１の高さを高さｈ２、として、高さｈ１＞高さｈ２の場合には、ギャップＧ１＞ギャップＧ２としてもよい。一方、高さｈ１＜高さｈ２の場合には、ギャップＧ１＜ギャップＧ２としてもよい。このように、高さｈ１およびｈ２の関係からギャップＧ１およびＧ２を設定することで容量の調整（特性インピーダンスの整合）を行うことができる。【００５６】
図３（ａ）〜（ｅ）は、第１連結部の形状の例を示す模式断面図である。これらの模式断面図は、図２（ｂ）のＡ−Ａ線の断面図である。
図３（ａ）には、平板状の断面の例が表される。平板状の断面形状を有する第１連結部１３では、一様な第１平面１３ａが構成される。これにより、第１連結部１３と第２連結部２３との間の容量の設定が容易となる。【００５７】
図３（ｂ）には、中央部に凸部分１３１を有する断面の例が表される。また、図３（ｃ）には、途中に段差部分１３２を有する断面の例が表される。また、図３（ｄ）には、端部に折り曲げ部分１３３を有する断面の例が表される。断面形状を立体的にすることで、第１連結部１３と絶縁部３０との接触面積が増加して、確実な固定が行われる。【００５８】
図３（ｅ）には、両端に折り曲げ部分１３４を有する断面の例が表される。折り曲げ部分１３４は絶縁部３０に設けられた溝３２に嵌め込まれる。この溝３２の深さを折り曲げ部分１３４の長さよりも浅くすると、第１連結部１３と絶縁部３０との間に隙間Ｇが設けられる。【００５９】
この隙間Ｇに設けられる空間（空気）の誘電率によって第１連結部１３と第２連結部２３との間の容量を調整することができる。例えば、絶縁部３０の材料によっては比誘電率を下げられない場合がある。このような場合に隙間Ｇを設けることで第１連結部１３と第２連結部２３との間の部材の全体の比誘電率を下げることができ、接続端子１での特性インピーダンスを調整することができる。【００６０】
なお、図３（ａ）〜（ｅ）には第１連結部１３の断面形状が示されるが、第２連結部２３についても同様な断面形状を採用してもよい。第２連結部２３は第１連結部１３の表裏を反転させた形状である。【００６１】
（変形例）
図４（ａ）〜（ｃ）は、接続端子の変形例（その１）を示す模式図である。図４（ａ）には変形例（その１）に係る接続端子１Ｂの斜視図、図４（ｂ）には接続端子１Ｂの平面図、図４（ｃ）には接続端子１Ｂの側面図が表される。【００６２】
接続端子１Ｂにおいては、第１連結部１３が絶縁部３０の一方の側面３０ｅに沿って斜めに配置され、第２連結部２３が絶縁部３０の他方の側面３０ｆに沿って斜めに配置される。図４（ｃ）に表したように、Ｘ１−Ｘ２方向にみて、第１連結部１３と第２連結部２３とは絶縁部３０の中央部分で互いに交差するよう配置される。また、図４（ｂ）に表したように、Ｚ１−Ｚ２方向にみて、第１連結部１３と第２連結部２３とは絶縁部３０の中央部分で交差していない。【００６３】
すなわち、図１に表した接続端子１では、Ｚ１−Ｚ２方向にみて第１連結部１３と第２連結部２３とが交差するが、図４に表した接続端子１Ｂでは、Ｘ１−Ｘ２方向にみて第１連結部１３と第２連結部２３とが交差する。このように、接続端子１Ｂでは、接続端子１Ｂ内において、第１ケーブルＣ１および第２ケーブルＣ２による伝送線路に、Ｘ１−Ｘ２方向にみて交差する撚りを設けることができる。【００６４】
図５（ａ）〜（ｃ）は、接続端子の変形例（その２）を示す模式図である。図５（ａ）には変形例（その２）に係る接続端子１Ｃの斜視図、図５（ｂ）には接続端子１Ｃの平面図、図５（ｃ）には接続端子１Ｃの側面図が表される。【００６５】
接続端子１Ｃにおいては、互いに傾斜の向きが異なる２つの斜面３５が設けられ、一方の斜面３５に沿うように第１連結部１３が配置され、他方の斜面３５に沿うように第２連結部２３が配置される。図５（ｃ）に表したように、Ｘ１−Ｘ２方向にみて、第１連結部１３と第２連結部２３とは絶縁部３０の中央部分で互いに交差するよう配置される。また、図５（ｂ）に表したように、Ｚ１−Ｚ２方向にみて、第１連結部１３と第２連結部２３とは絶縁部３０の中央部分で交差していない。【００６６】
このような接続端子１Ｃであっても、接続端子１Ｂと同様に、接続端子１Ｃ内において、第１ケーブルＣ１および第２ケーブルＣ２による伝送線路に、Ｘ１−Ｘ２方向にみて交差する撚りを設けることができる。【００６７】
なお、上記説明した接続端子１と、変形例（その１）に係る接続端子１Ｂおよび変形例（その２）に係る接続端子１Ｃとのいずれか一方とをＹ１−Ｙ２方向に連結するように一体化させてもよい。これにより、第１連結部１３と第２連結部２３とは、Ｘ１−Ｘ２方向にみて交差するよう配置されるとともに、Ｚ１−Ｚ２方向にみて交差するよう配置されることになる。すなわち、第１ケーブルＣ１および第２ケーブルＣ２による伝送線路に、Ｘ１−Ｘ２方向にみて交差する撚りと、Ｚ１−Ｚ２方向にみて交差する撚りとの両方を設けることができる。【００６８】
（第２実施形態）
次に、第２実施形態に係る端子接続構造について説明する。
図６（ａ）〜（ｃ）は、第２実施形態に係る端子接続構造を例示する模式図である。
図６（ａ）には端子接続構造の斜視図が表され、図６（ｂ）には端子接続構造の平面図が表され、図６（ｃ）には端子接続構造の側面図が表される。なお、図６（ｃ）では、説明の便宜上、絶縁部３０が省略されている。【００６９】
本実施形態に係る端子接続構造は、上記説明した接続端子１の２つ（第１接続端子１−１および第２接続端子１−２）を向かい合わせにして接続する構造である。第１接続端子１−１および第２接続端子１−２は互いに同じ形状になっており、第１接続端子１−１に対して第２接続端子１−２をＺ１−Ｚ２方向（第２方向）の軸を中心に１８０度回転し、互いに向かい合わせて接続する構成になっている。第１接続端子１−１および第２接続端子１−２を互いに向かい合わせて接続する場合、第１接続端子１−１の第１端子部１２Ａと第２接続端子１−２の第２端子部２２Ｂとが嵌合し、第１接続端子１−１の第２端子部２２Ａと第２接続端子１−２の第１端子部１２Ｂとが嵌合する。【００７０】
第１端子部１２Ａ、１２Ｂおよび第２端子部２２Ａ、２２Ｂは、互いに同一形状になっており、それぞれ弾性片と保持片とを有している。第１接続端子１−１の第１端子部１２Ａと第２接続端子１−２の第２端子部２２Ｂとが向かい合わせになって一方の弾性片が他方の弾性片と保持片との隙間に嵌合することで両者が接続される。同様に、第１接続端子１−１の第２端子部２２Ａと第２接続端子１−２の第１端子部１２Ｂとが向かい合わせになって一方の弾性片が他方の弾性片と保持片との隙間に嵌合することで両者が接続される。このような嵌合によって、振動などの外力が加わっても外れにくい接続構造となる。【００７１】
図６（ｂ）に表したように、第１接続端子１−１と第２接続端子１−２とを接続すると、Ｚ１−Ｚ２方向にみて接続端子構造内で伝送線路に２回の撚りが構成される。すなわち、第１接続端子１−１内での撚りと、第２接続端子１−２内での撚りとが構成される。【００７２】
さらに、図６（ｃ）に表したように、第１接続端子１−１と第２接続端子１−２とを接続すると、Ｘ１−Ｘ２方向にみて接続端子構造内で伝送線路に１回の撚りが構成される。すなわち、第１ケーブルＣ１の伝送線路は、第１接続端子１−１から第２接続端子１−２にかけてＺ２側からＺ１側に構成され、第２ケーブルＣ２の伝送線路は、第１接続端子１−１から第２接続端子１−２にかけてＺ１側からＺ２側に構成される。これにより、Ｘ１−Ｘ２方向にみて伝送線路に１回の撚りが構成される。【００７３】
なお、第１接続端子１−１および第２接続端子１−２は互いに同じ形状となっているため、第１接続端子１−１と第２接続端子１−２とを向かい合わせに接続するとき、第１接続端子１−１に対して第２接続端子１−２をＸ１−Ｘ２方向（第１方向）の軸を中心に１８０度回転し、互いに向かい合わせて接続する構成にしてもよい。この場合、第１接続端子１−１の第１端子部１２Ａと第２接続端子１−２の第１端子部１２Ｂとが嵌合し、第１接続端子１−１の第２端子部２２Ａと第２接続端子１−２の第２端子部２２Ｂとが嵌合する。このような接続とした場合でも、Ｘ１−Ｘ２方向にみて伝送線路に１回の撚りが構成される。【００７４】
このような本実施形態に係る端子接続構造では、第１接続端子１−１と第２接続端子１−２とを接続した場合でも、第１ケーブルＣ１および第２ケーブルＣ２による撚り線の撚りをある程度維持することが可能になる。【００７５】
さらに、第１接続端子１−１および第２接続端子１−２では、第１連結部１３と第２連結部２３との位置関係が正確に設定される。したがって、２つの接続端子１（第１接続端子１−１および第２接続端子１−２）を接続した場合であっても、第１連結部１３と第２連結部２３との間の容量の変動が抑制される。これにより、端子接続構造での特性インピーダンスと、第１ケーブルＣ１および第２ケーブルＣ２による撚り線の特性インピーダンスとの整合を図ることができ、電界漏れの抑制、耐ノイズ特性の向上、および伝送特性（特に、高周波特性）の向上を図ることができる。【００７６】
（変形例）
図７は、端子接続構造の変形例を示す模式図である。
図７に表した端子接続構造は、２つのハウジング５０を向かい合わせて接続した構造となっている。１つのハウジング５０には４つの接続端子１がＸ１−Ｘ２方向に並置される。１つの接続端子１には２本のケーブルが接続される。したがって、１つのハウジング５０では、合計８本のケーブルが接続される。【００７７】
２つのハウジング５０を向かい合わせることで、お互いの４つの接続端子１が向かい合って嵌合され、８本のケーブル間を同時に接続することができる。本実施形態に係る接続端子１では、第１部品１０、第２部品２０および絶縁部３０を組み合わせた際に平面を有するブロック状に形成されるため、複数の接続端子１を並置する際の位置合わせが容易である。【００７８】
なお、図７に表した例では１つのハウジング５０に４つの接続端子１をＸ１−Ｘ２方向に並置しているが、４つ以外でもよい。また、複数の接続端子１をＹ１−Ｙ２方向に並置したり、Ｘ１−Ｘ２方向およびＹ１−Ｙ２方向のそれぞれに並置したりしてもよい。【００７９】
以上説明したように、実施形態によれば、撚り線と接続端子１とを接続する際の取り回し性の向上とともに、信号伝送特性の低下を防止することができる接続端子１および端子接続構造を提供することが可能になる。【００８０】
なお、上記に本実施形態およびその変形例を説明したが、本発明はこれらの例に限定されるものではない。例えば、絶縁部３０は第１連結部１３と第２連結部２３との交差位置を覆うよう設けられているが、第１連結部１３および第２連結部２３のそれぞれの端部のみを覆い、交差位置においては空間になっている構成であってもよい。本実施形態では主として撚り線の接続端子１及び端子接続構造を例としたが、撚り線以外のケーブルであっても適用可能である。また、前述の各実施形態またはその変形例に対して、当業者が適宜、構成要素の追加、削除、設計変更を行ったものや、各実施形態またはその変形例の特徴を適宜組み合わせたものも、本発明の要旨を備えている限り、本発明の範囲に含有される。
【符号の説明】
【００８１】
１，１Ｂ，１Ｃ…接続端子
１−１…第１接続端子
１−２…第２接続端子
１０…第１部品
１１…第１ケーブル接続部
１２，１２Ａ，１２Ｂ…第１端子部
１３…第１連結部
１３ａ…第１平面
２０…第２部品
２１…第２ケーブル接続部
２２，２２Ａ，２２Ｂ…第２端子部
２３…第２連結部
２３ａ…第２平面
３０…絶縁部
３０ａ，３０ｃ…端面
３０ｂ…上面
３０ｄ…下面
３０ｅ，３０ｆ…側面
３１，３２…溝
３１ａ…凹部
３５…斜面
５０…ハウジング
１１１…爪
１１２…穴
１３１…凸部分
１３２…段差部分
１３３，１３４…折り曲げ部分
３０１…凸部
Ｃ１…第１ケーブル
Ｃ２…第２ケーブル
Ｇ…隙間
Ｐ１，Ｐ２…ピッチ
【図１】
2016132855.tif 000003
【図２】
2016132855.tif 000004
【図３】
2016132855.tif 000005
【図４】
2016132855.tif 000006
【図５】
2016132855.tif 000007
【図６】
2016132855.tif 000008
【図７】
2016132855.tif 000009
【国際調査報告】
2016132855.tif 000010
2016132855.tif 000011